(57)【特許請求の範囲】
【請求項１】
低速限界値から高速限界値の間のシャッタスピードで撮影可能なカメラにおいて、
シャッタスピードを手動で設定することができるシャッタ優先モードまたはマニュアルモードが選択されているとき、前記低速限界値から前記高速限界値までの間でそれぞれ設定される第１のシャッタスピード設定範囲とこの第１のシャッタスピード設定範囲とは異なる第２のシャッタスピード設定範囲のいずれか一方を手動で選択する選択手段と、
この選択手段で選択された第１または第２のシャッタスピード設定範囲に定められている複数のシャッタスピードの中からいずれか一つを手動で設定する設定手段とを具備することを特徴とするシャッタスピード設定範囲変更可能なカメラ。
【請求項２】
請求項１のカメラにおいて、
前記第１のシャッタスピード設定範囲と第２のシャッタスピード設定範囲は固定されていることを特徴とするシャッタスピード設定範囲変更可能なカメラ。
【請求項３】
請求項１のカメラにおいて、
前記第１および第２のシャッタスピード設定範囲の低速限界値および／または高速限界値を変更する変更手段をさらに具備することを特徴とするシャッタスピード設定範囲変更可能なカメラ。
【請求項４】
請求項１のカメラにおいて、
前記シャッタ優先モードおよび前記マニュアルモードを含む複数の露出モードの中のいずれか１つを設定するモード設定手段と、
前記シャッタ優先モードが選択されたときには前記第１のシャッタスピード設定範囲のみを選択可能にする制御手段をさらに具備することを特徴とするシャッタスピード設定範囲変更可能なカメラ。
【請求項５】
請求項４のカメラにおいて、
前記制御手段は、前記第１および第２のシャッタスピード設定範囲のうち、より長時間シャッタスピードを含むいずれか一方については、前記マニュアルモードが設定されているときにのみ選択することを特徴とするシャッタスピード設定範囲変更可能なカメラ。
【請求項６】
請求項４または５のカメラにおいて、
前記シャッタ優先モードが選択されたときに設定されるシャッタスピード設定範囲の低速限界値は、前記マニュアルモードが選択されたときに設定されるシャッタスピード設定範囲の低速限界値よりも早いシャッタスピードであることを特徴とするシャッタスピード設定範囲変更可能なカメラ。
【発明の詳細な説明】
【０００１】
【産業上の利用分野】
本発明はシャッタスピードの設定範囲を変更できるカメラに関する。
【０００２】
【従来技術とその問題点】
従来のカメラのシャッタスピード設定範囲は予め定められた低速限界値と高速限界値との間に固定され、例えば低速限界値として３０秒が、高速限界値として１／８０００秒が予め定められている場合には、常にその間に定められている複数のシャッタスピードのいずれかひとつが設定される。
【０００３】
夜景や星野写真などの長時間露出撮影を除けば、ほとんどの撮影ではシャッタスピードは１秒〜１／８０００秒程度の範囲で選択できれば間に合う。３０秒程度あるいはより長い露出時間が必要な長時間露出撮影の場合には、シャッタスピード設定装置でバルブを設定し、ケーブルレリーズを用いて時計を見ながら露出をしたり、長時間露出の設定が可能なアクセサリーを用いて露出時間を設定する。したがって、シャッタスピードの設定範囲の低速限界値を例えば３０秒、あるいはそれよりも長い時間とし、高速限界値を１／８０００秒にすれば、所望のシャッタスピードで撮影が可能となる。
【０００４】
しかしながら、低速限界値と高速限界値をそれぞれ広げると、必然的にその間で設定できるシャッタスピードの数が多くなり、たとえばダイアルでシャッタスピードを設定する方式ではダイヤルの回転数が非常に多くなるという問題がある。上記低速限界値と高速限界値との間に１／２段や１／３段のステップで細かくシャッタスピードを設定する場合はなおさら回転数が多くなる。
【０００５】
本発明の目的は、シャッタスピード設定範囲を変更可能にしてシャッタスピード設定可能段数が多くなってもシャッタスピード設定時の操作性が悪化しないようにしたカメラを提供することにある。
【０００６】
【課題を解決するための手段】
上記目的を達成するために本発明によるカメラは、低速限界値から高速限界値の間のシャッタスピードで撮影可能なカメラにおいて、シャッタスピードを手動で設定することができるシャッタ優先モードまたはマニュアルモードが選択されているとき、前記低速限界値から前記高速限界値までの間でそれぞれ設定される第１のシャッタスピード設定範囲とこの第１のシャッタスピード設定範囲とは異なる第２のシャッタスピード設定範囲のいずれか一方を選択する選択手段と、この選択手段で選択された第１または第２のシャッタスピード設定範囲に定められている複数のシャッタスピードの中からいずれか一つを手動で設定する設定手段とを具備する。
第１のシャッタスピード設定範囲と第２のシャッタスピード設定範囲を固定してもよい。
前記第１および第２のシャッタスピード設定範囲の低速限界値および／または高速限界値を変更する変更手段をさらに具備してもよい。
前記シャッタ優先モードおよび前記マニュアルモードを含む複数の露出モードの中のいずれか１つを設定するモード設定手段と、前記シャッタ優先モードが選択されたときには前記第１のシャッタスピード設定範囲のみを選択可能にする制御手段をさらに具備してもよい。
前記制御手段により、前記第１および第２のシャッタスピード設定範囲のうち、より長時間シャッタスピードを含むいずれか一方については、前記マニュアルモードが設定されているときにのみ選択するようにしてもよい。
前記シャッタ優先モードが選択されたときに設定されるシャッタスピード設定範囲の低速限界値は、前記マニュアルモードが選択されたときに設定されるシャッタスピード設定範囲の低速限界値よりも早いシャッタスピードである。
【０００７】
【作用】
請求項１の発明によるカメラでは、選択手段は、第１のシャッタスピード設定範囲または第２のシャッタスピード設定範囲を選択する。この選択された設定範囲内のシャッタスピードが設定手段で設定される。
【０００８】
【実施例】
−第１の実施例−
図１〜図４により第１の実施例を説明する。図１において、制御回路１はＣＰＵなどを主体に構成され、カメラの動作を制御する。シャッタ制御回路２は制御回路１からのシャッタ駆動信号により設定されたシャッタスピードでシャッタ３を駆動する。絞り制御回路４は制御回路１からの絞り駆動信号により設定された絞り値で絞り５を駆動する。６は露出モードを選択する際にオンされる露出モード変更スイッチ、７は回転量に応じた信号を出力するダイアル、８は露出モード、シャッタスピードなどの設定状態を表示する液晶表示装置８である。露出モード変更スイッチ６をオン操作したままダイアル７を回転操作すると、回転にしたがって、プログラムモード、シャッタ優先モード、絞り優先モード、マニュアルモードが順番に選択される。所望のモードを表示装置８で確認して露出モードスイッチ６のオン操作を止めるとその露出モードが設定される。シャッタ優先モードを選択した後に、ダイアル７を回転操作するとシャッタスピードが変更される。シャッタスピード設定範囲変更モードスイッチ９は、後述する第１および第２のシャッタスピード設定範囲のいずれかを選択するモードを設定するスイッチであり、このスイッチ９をオン操作したままダイアル７を回転して所望のシャッタスピード設定範囲を設定する。スイッチ１０，１１については後述する。
【０００９】
図２は第１実施例のカメラにおけるシャッタスピードの設定範囲を示す図であり、このカメラは、バルブと、３０秒〜１／８０００秒までの間の１９ステップのシャッタスピードで撮影可能である。この第１の実施例では第１および第２のシャッタスピード設定範囲を予め設けてある。第１のシャッタスピード設定範囲には、バルブと、１秒〜１／８０００秒までの１４ステップのシャッタスピードが定められ、第２のシャッタスピード設定範囲には、バルブと、３０秒〜１／８０００秒までの１９ステップのシャッタスピードが定められている。
【００１０】
第１および第２のシャッタスピード設定範囲の設定は図３に示す手順で行なわれる。
シャッタスピード設定範囲変更モードスイッチ９のオン操作により設定範囲変更モードに入ると、ステップＳ１５において、再度シャッタスピード設定範囲変更モードスイッチの状態を見る。このスイッチがオンの時はステップＳ１６に進み、シャッタスピード設定範囲モードに入る。ここでは例えばシャッタスピードの設定範囲を変更することがわかる表示をする。次にステップＳ１７に進み、ダイアル７が回転されたかを判定する。否定されればステップＳ１５に戻り、肯定されればステップＳ１８に進む。ステップＳ１８ではシャッタスピード設定範囲を現在の状態から他の状態に変更する。そしてステップＳ１５に戻る。ステップＳ１５でシャッタスピード設定範囲変更モードスイッチ９がオフならば、この処理を終了する。
【００１１】
シャッタスピード設定範囲の設定と識別は、カメラの制御回路１内の書き換え可能な記憶領域に割当てられるシャッタスピード設定範囲用フラグに基づいて行なわれる。たとえば、シャッタスピード設定範囲変更モードで第１のシャッタスピード設定範囲が設定されるとそのフラグが０、第２のシャッタスピード設定範囲が設定されると１となる。このようにして、シャッタスピード設定範囲を１秒〜１／８０００秒およびバルブの第１のシャッタスピード設定範囲と、３０秒〜１／８０００秒およびバルブの第２のシャッタスピード設定範囲の２通りの設定を可能としている。なお、シャッタスピード設定範囲の選択状況は表示装置８に表示される。
【００１２】
図４は第１の実施例におけるシャッタスピード設定処理手順を説明するフローチャートである。
たとえばシャッタ優先モードを予め設定した後に、カメラのシャッタスピードを変更するためにダイアル７が操作されると、ステップＳ１でその回転方向が判断される。シャッタスピードを低速側にするようにダイアル７が操作された場合には、ステップＳ１が肯定されてステップＳ８に進む。ステップＳ８ではシャッタスピード範囲設定フラグが１かを判断する。フラグが１ではないと判定されるとステップＳ９に進む。つまりステップＳ８でフラグが０と判定される場合は第１のシャッタスピード設定範囲が設定されている場合であるので、１秒〜１／８０００秒の第１のシャッタスピード設定範囲内のシャッタスピードが設定可能である。したがって、ステップＳ９において、第１の低速限界値である１秒を低速限界値としてセットしてからステップＳ１１に進む。
【００１３】
一方、ステップＳ８でフラグが１と判定されるとステップＳ１０に進む。この場合は第２のシャッタスピード設定範囲が設定されている場合であるので、３０秒〜１／８０００秒の第２のシャッタスピード設定範囲内のシャッタスピードが設定可能である。したがって、ステップＳ１０において、第２の低速限界値である３０秒を低速限界値としてセットしてからステップＳ１１に進む。
【００１４】
ステップＳ１１では、現在カメラに設定されているシャッタスピードとステップＳ９，Ｓ１０でセットされた低速限界値とを比較する。低速限界値であるシャッタスピードになっていない場合は、ステップＳ１２でシャッタスピードを１段遅く設定する。低速限界値のシャッタスピードであると判定されると、ステップＳ１３でシャッタスピードをバルブに設定する。ステップＳ１２、Ｓ１３の処理が終了すると図４の処理を終了する。
【００１５】
一方、ステップＳ１でシャッタスピードを高速側にするようにダイアル７が操作されていたと判定されるとステップＳ２へ進む。ステップＳ２では現在のシャッタスピードがバルブか否かを判断する。バルブと判定されるとステップＳ３においてシャッタスピード設定範囲フラグが１か否かを判定し、１の場合にはステップＳ４において、第２のシャッタスピード設定範囲の低速限界値である３０秒をシャッタスピードとして設定し、０の場合にはステップＳ５において、第１のシャッタスピード設定範囲の低速限界値である１秒をシャッタスピードとして設定する。ステップＳ４およびステップＳ５が終了すると図４の処理を終了する。
【００１６】
ステップＳ２で現在のシャッタスピードがバルブではないと判定されると、ステップＳ６に進み、現在のシャッタスピードが高速側の限界値か否かを判定する。高速側限界値ではないと判定されると、ステップＳ７に進み、シャッタスピードを一段高速側にセットしてこの処理を終了する。もし高速限界値であると判定されると、シャッタスピードを変更せずに処理を終了する。
【００１７】
−第２の実施例−
次に本発明によるカメラの第２の実施例について説明する。
第２の実施例では低速側限界値を変更可能とし、その限界値をたとえば１バイトの情報として記憶する。低速限界値を３０秒にしたければ図２に示すように＜ＦＢｈ＞、１秒にしたければ＜００ｈ＞を記憶設定する。
【００１８】
図５は低速限界値を変更設定するためのフローチャートであり、シャッタスピード設定範囲変更モードスイッチ９がオンされるとこのフローチャートが起動される。ステップＳ２１において、再度シャッタスピード設定範囲変更モードスイッチの状態を見る。このスイッチがオンの時はステップＳ２２に進み、シャッタスピード設定範囲変更モードに入る。ここでは例えばシャッタスピードの設定範囲を変更することがわかる表示をする。次にステップＳ２３に進み、ダイアル７がどちら方向に回転されたかを判定する。正方向に回転された場合はステップＳ２４に進む。ステップＳ２４では低速限界値の現在の値が最長秒時、たとえば１秒から３０秒の設定が可能な場合は３０秒になっているか判断し、もし最長秒時になっていなかったらステップＳ２５に進む。ステップＳ２５では低速限界値を１段低速側に下げる。そしてステップＳ２８に進む。一方、ステップＳ２４で、すでに最長秒時になっていたと判断された場合はステップＳ２８に進む。ステップＳ２３でダイアルが正方向に回転されたと判断されなかった場合は、ステップＳ２６に進む。ステップＳ２６では低速限界値の現在の値が最短秒時、たとえば１秒から３０秒の設定が可能な場合は１秒になっているか判断し、もし最短秒時になっていなかったらステップＳ２７に進む。ステップＳ２７では低速側限界値を１段高速側に上げる。そしてステップＳ２８に進む。一方、ステップＳ２６で、すでに最短秒時になっていたと判断された場合はステップＳ２８に進む。ステップＳ２８では低速側限界値を記憶する。そしてステップＳ２１に戻る。ステップＳ２１でシャッタスピード設定範囲変更モードスイッチ９がオンされていたら同様の処理を繰り返し、オフならばこの処理を終了する。
【００１９】
第２の実施例のシャッタスピード設定処理手順を図６のフローチャートにより説明する。図６のフローチャートにおいて、図４と同様な処理手順については同一の符号を付して相違点を主に説明する。
ステップＳ３１では、上述したように設定された低速限界値を読み込む。ステップＳ１でダイアル７の回転方向が低速側と判断されると、ステップＳ３２に進み、現在の設定シャッタスピードがバルブか否かを判定する。バルブでないと判定されると、ステップＳ１１において、ステップＳ２１で読み込まれた低速限界値と現在設定されているシャッタスピードとを比較し、現在設定されているシャッタスピードが低速限界値でないと判定されるとステップＳ１２に進み、シャッタスピードを１段低速側にする。ステップＳ１１において、現在設定されているシャッタスピードが低速限界値であると判定されると、ステップＳ１３でシャッタスピードをバルブに設定する。ステップＳ１２，１３を実行するとこの処理を終了する。
【００２０】
ステップＳ１でシャッタスピードを高速側にするようにダイアル７が操作されたと判断されるとステップＳ２に進み、現在設定されているシャッタスピードがバルブかどうかを判断する。バルブと判定されるとステップＳ３３に進み、現在のシャッタスピードを、予め設定された低速限界値に設定し直す。ステップＳ２でバルブではないと判定されると、ステップＳ６に進む。ステップＳ６において、現在設定されているシャッタスピードが高速側の限界値ではないと判定されるとステップＳ７に進み、シャッタスピードを１段高速側に設定し直して処理を終了する。ステップＳ６で現在のシャッタスピードが高速限界値と判定されると何もせずにシャッタスピードの設定処理を終了する。
【００２１】
第２の実施例では低速側限界値を任意に設定できるようにしたので、たとえば数十分程度まで設定可能にすることにより、マニュアル露出モードで長時間露出撮影を行なう際、夜景等露出のよく分からない撮影を行う場合に、従来のケーブルレリーズを用いたバルブ撮影や、タイマーによる時間設定などのわずらわしい操作をすることなく簡単に長時間の露出時間の設定が可能となる。さらに自動的に露出を変えながら撮影するオートブラケッティング機能を有するカメラにおいては、数分〜数十分といった範囲でも自動的に露出を変えながら撮影できるので、夜間の自動露出のできない撮影においても露出の合う確率の高い撮影が簡単に行える。そして、このような高機能カメラであっても、１秒〜１／８０００秒の通常の撮影時には低速限界値を１秒に設定すれば、シャッタスピード設定の際の操作性が悪化しない。
【００２２】
−第３の実施例−
以上の第１および第２の実施例では、露出モードがシャッタ優先モードでもマニュアルモードでも同じ処理手順でシャッタスピードを設定するようにした。しかしながら、第１のシャッタスピード設定範囲が、例えば１秒〜１／８０００秒、第２のシャッタスピード設定範囲が３０秒〜１／８０００秒に設定された場合、シャッタ優先モードで第２のシャッタスピード設定範囲が選択されてしまうと測光限界となって自動露出の動作範囲外となり、撮影できない場合が生じる。そこで第３の実施例では、露出モードがマニュアルモードかシャッタ優先モードかを判断し、シャッタ優先モードの場合は第１のシャッタスピード設定範囲しか選択できないようにして、自動露出の動作範囲外になることを防止する。
【００２３】
図７は第３の実施例のシャッタスピード設定範囲変更のフローチャートを示す。図３と同様な箇所には同一の符号を付して相違点を主に説明する。
ステップＳ４１でシャッタ優先モードか否かを判定し、シャッタ優先モードであればステップＳ４２において、第１のシャッタスピード設定範囲に変更する。シャッタ優先モードでない、すなわちマニュアルモードのときは、上述したようにステップＳ１５〜Ｓ１８を実行する。
【００２４】
図８は第３の実施例におけるシャッタスピード設定処理手順のフローチャートである。図４と同様な箇所には同一の符号を付して相違点を主に説明する。
図８のステップＳ１でダイアル７が低速側に操作されたと判定されると、ステップＳ５１において、露出モードがシャッタ優先モードかマニュアルモードかを判断する。シャッタ優先モードと判定されると、ステップＳ８をスキップしてステップＳ９に進み、低速限界値として第１の低速限界値１秒を設定する。ステップＳ５１でマニュアルモードと判定されたときは、ステップＳ８でフラグが１ならば低速限界値として第２の低速限界値を、フラグが０ならば第１の低速限界をそれぞれステップＳ９，１０で設定する。
【００２５】
また、ステップＳ１１で現在設定されているシャッタスピードが低速限界値であると判定された場合には、ステップＳ５３に進み、シャッタ優先モードか否かを判定し、肯定されるとシャッタスピードを変更せずにこの処理を終了する。ステップＳ５３でマニュアルモードと判定された場合には、ステップＳ１３でシャッタスピードとしてバルブを設定する。
【００２６】
これにより、自動露出の動作範囲外となる低速限界値の設定が禁止されて、シャッタ優先モードでの撮影が適切に行なわれる。すなわち、低速限界値が３０秒である第２のシャッタスピード設定範囲が設定されていても、第１のシャッタスピード設定範囲の低速限界値である１秒に低速限界値を制限し、これにより、シャッタ優先モードで撮影を行なう際に、測光限界に陥って撮影ができなくなるおそれが低減される。
【００２７】
また、ステップＳ１でダイアル７が高速側に操作されたと判定されると、ステップＳ５２において、露出モードがシャッタ優先モードかマニュアルモードかを判断する。ここで、シャッタ優先モードと判定されると、ステップＳ２〜ステップＳ５をスキップしてステップＳ６に進む。ステップＳ３２でマニュアルモードと判定されると、上述したと同様にステップＳ２〜ステップＳ５をそれぞれ実行する。つまりマニュアルモードであり、かつバルブと判定されると、上述したようにステップＳ３でフラグが１の場合にはシャッタスピードとして第２の低速限界値である３０秒を設定し、フラグが０の場合にはステップＳ５でシャッタスピードとして第１の低速限界値である１秒を設定する。この場合も、自動露出の動作範囲外となる低速限界値の設定が禁止されて、シャッタ優先モードでの撮影が適切に行なわれる。
【００２８】
−第４の実施例−
以上の第１および第２の実施例では低速限界値だけを所望に応じて変更できるようにした。第４の実施例は、高速限界値も変更できるように、第１〜第４のシャッタスピード設定範囲を予め設けるようにしたものである。ここで、各シャッタスピード設定範囲は図９にも示すが以下の通りである。
▲１▼第１のシャッタスピード設定範囲：バルブと、１秒〜１／８０００秒
▲２▼第２のシャッタスピード設定範囲：バルブと、３０秒〜１／８０００秒
▲３▼第３のシャッタスピード設定範囲：バルブと、１秒〜１／２０００秒
▲４▼第４のシャッタスピード設定範囲：バルブと、３０秒〜１／２０００秒
【００２９】
この実施例の場合、図１に示すように高低速限界値変更スイッチ１０および１１を設け、スイッチのオンオフ状態に基づいて、図１０に示すフローチャートにしたがい、図５で説明した低速限界値設定処理と同様の処理により高低速限界値をそれぞれ設定する。図５と同様な箇所には同一符号を付して相違点を主に説明する。図１０において、ステップＳ４５でスイッチ１０，１１の状態により低速限界値の変更か高速限界値の変更かを判別し、このステップＳ４５が肯定されるとステップＳ２３〜Ｓ２８を実行し、否定されるとステップＳ４６，４７で同様の処理により高速限界値を記憶する。
【００３０】
この場合、１バイトの高低速限界値設定フラグを制御回路１に設け、高低速限界値設定フラグの０ビット目と１ビット目を使用していずれのシャッタスピード設定範囲かを識別することができる。たとえば、第１の低速側限界である１秒が設定されたときは、０ビット目を０、第２の低速限界値である３０秒が設定されたときは、０ビット目を１とする。第１の高速側限界である１／８０００秒が設定されたときは、１ビット目を０、第２の高速限界値である１／２０００秒が設定されたときは、１ビット目を１とする。
【００３１】
図１１は第４の実施例のシャッタスピード設定処理手順を示すフローチャートであり、図４と同様な箇所には同一の符号を付して相違点を主に説明する。
ステップＳ１でシャッタスピード設定ダイアル７が低速側に操作されたと判定されると、ステップＳ８Ａで高低速限界値設定フラグの０ビットが１か否かを判定し、０であればステップＳ９で低速限界値として第１の低速限界値を設定し、１であればステップＳ１０で低速限界値として第２の低速限界値を設定する。ステップＳ１でシャッタスピード設定ダイアル７が高速側に操作されたと判定され、さらにステップＳ２でバルブではないと判定されると、ステップＳ６１で高低速限界値フラグの１ビットが１か否かを判定し、０であればステップＳ６３で高速限界値として第１の高速限界値を設定し、１であればステップＳ６２で高速限界値として第２の高速限界値を設定する。ステップＳ２でバルブと判定されたときは、ステップＳ３Ａで高低速限界値フラグの１ビットが１と判定されるとステップＳ４でシャッタスピードとして第２の低速限界値を設定し、ステップＳ３Ａで高低速限界値フラグの１ビットが０と判定されるとステップＳ５でシャッタスピードとして第１の低速限界値を設定する。その他の処理手順は第１の実施例と同様である。
【００３２】
第４の実施例では、第１〜第４のシャッタスピード設定範囲を任意に選択することができる。
【００３３】
図１２はシャッタスピードの設定範囲の他の例を示す。通常のカメラではおおよそ３０秒程度までの長秒時までしか設定できないが、この例では６８分１６秒まで露出時間を延長し、第１のシャッタスピード設定範囲では３０秒〜１／８０００秒およびバルブとし、第２のシャッタスピード設定範囲では６８分１６秒〜１／８０００秒およびバルブとした。このようにシャッタスピード設定範囲を選択することにより、通常の１秒〜１／８０００の設定範囲と、夜景撮影に有利な１時間程度までの長時間露出時間〜１／８０００秒の設定範囲の設定を可能とし、このとき、通常の撮影時には第１のシャッタスピード設定範囲を設定しておけば、シャッタスピードの設定操作が煩雑になることはない。先の実施例で説明したように、第２のシャッタスピード設定範囲を決める長秒時側の限界を１秒など他の値に設定してもよい。
【００３４】
以上では、低速限界値や高速限界値の変更スイッチなどの操作部材をカメラ本体に設けたものとして説明したが、種々のカメラアクセサリ側にこの種のスイッチを設けてもよい。また、電子手帳に接続するターミナルを有するカメラにあっては、電子手帳側から低速限界値や高速限界値を入力するように構成してもよい。
【００３５】
【発明の効果】
以上のように本発明によれば、通常使用するシャタスピード設定範囲と夜間等特殊な撮影をするときで使用するシャッタスピード設定範囲を使い分けることができるので、通常はシャッタダイアルの設定操作を減らすべく狭い範囲のシャタスピード設定範囲に納め、特殊な撮影を行うときのみシャッタスピード設定可能範囲を広くできるので操作性が良くなる。とくに、シャッタスピードの設定ステップが本実施例にあるように１段ではなく、１／３段のような場合に効果がある。
【図面の簡単な説明】
【図１】本発明によるカメラの一実施例における制御系を示すブロック図
【図２】第１の実施例における２通りのシャッタスピード設定範囲を示す図
【図３】第１の実施例によるシャッタスピード設定範囲変更手順の一例を示すフローチャート
【図４】第１の実施例によるシャッタスピード設定手順の一例を示すフローチャート
【図５】第２の実施例によるシャッタスピード設定範囲変更手順の一例を示すフローチャート
【図６】第２の実施例によるシャッタスピード設定手順の一例を示すフローチャート
【図７】第３の実施例によるシャッタスピード設定範囲変更手順の一例を示すフローチャート
【図８】第３の実施例によるシャッタスピード設定手順の一例を示すフローチャート
【図９】第４の実施例における４通りのシャッタスピード設定範囲を示す図
【図１０】第４の実施例によるシャッタスピード設定範囲変更手順の一例を示すフローチャート
【図１１】第４実施例によるシャッタスピード設定手順の一例を示すフローチャート
【図１２】シャッタスピード設定範囲の他の例を示す図
【符号の説明】
１  制御回路
６  露出モードスイッチ
７  ダイアル
９  シャッタスピード設定範囲変更モードスイッチ
１０  低速限界値変更スイッチ
１１  高低速限界値変更スイッチ
【図１】
0003744011.tif 000002
【図２】
0003744011.tif 000003
【図３】
0003744011.tif 000004
【図４】
0003744011.tif 000005
【図５】
0003744011.tif 000006
【図６】
0003744011.tif 000007
【図７】
0003744011.tif 000008
【図８】
0003744011.tif 000009
【図９】
0003744011.tif 000010
【図１０】
0003744011.tif 000011
【図１１】
0003744011.tif 000012
【図１２】
0003744011.tif 000013